(57)【要約】【課題】パネル体による開口の閉塞時に係合しパネル体の反りを抑える建具を提供する。【解決手段】枠体にて形成された開口を閉塞可能なパネル体は、退行可能に突出され、開口を閉塞した状態にて枠体あるいは錠受けと係合し、閉塞状態を維持する第１進退部材と、第１進退部材と上下方向に間隔を隔てて、退行可能に突出され、開口を閉塞した状態にて前記枠体の第１係合部と係合する第２進退部材と、を有し、第１進退部材と係合する第２係合部材と、第２進退部材と係合する第１係合部材とは、各々回動自在に設けられるとともに連動すべく連結されており、第１進退部材と枠体あるいは錠受けとが係合した状態にて、第２進退部材が係合解除不能となり、パネル体が開口を閉塞し、第２係合部材と第１進退部材との係合が係合解除されて、第１係合部材と第２係合部材とが連動して回動可能となることにより第１係合部材と前記第２進退部材との係合が係合解除可能となる。【選択図】図４
2014105432.tif 000002
【特許請求の範囲】
【請求項１】
開口を形成する枠体と、
前記枠体に回動自在に支持されて前記開口を閉塞可能なパネル体と、
を有する建具であって、
前記パネル体は、退行可能に前記枠体側に突出され、前記開口を閉塞した状態にて前記枠体あるいは前記枠体に設けられた錠受けと係合し、閉塞状態を維持する第１進退部材と、
前記第１進退部材と上下方向に間隔を隔てた位置にて、退行可能に前記枠体側に突出され、前記開口を閉塞した状態にて前記枠体側に設けられた第１係合部と係合する第２進退部材と、
を有し、
前記第１進退部材と係合する第２係合部材と、前記第２進退部材と係合する前記第１係合部材とは、各々回動自在に設けられるとともに連動すべく連結されており、
前記第１進退部材と前記枠体とが係合した状態にて、前記第２進退部材が係合解除不能となり、
前記パネル体が前記開口を閉塞し、前記第２係合部材と前記第１進退部材との係合が係合解除されて、前記第１係合部材と前記第２係合部材とが連動して回動可能となることにより前記第１係合部材と前記第２進退部材との係合が係合解除可能となることを特徴する建具。
【請求項２】
請求項１に記載の建具であって、
前記パネル体は、前記第１進退部材と前記第２係合部材との係合を係合解除可能なハンドルを備え、
前記ハンドルの操作により前記第１進退部材を係合解除して前記パネル体を回動して開くときに、前記第２進退部材により前記第１係合部材が回動されて前記第１係合部材と前記第２進退部材との係合が係合解除されることを特徴とする建具。
【請求項３】
請求項１または請求項２に記載の建具であって、
前記第２係合部材は、前記第１進退部材と係合する姿勢を維持すべく係合解除方向と反対方向に付勢されており、
前記第１係合部材は、係合解除方向に回動可能に前記第２進退部材と係合する姿勢を維持すべく係合解除方向と反対方向に付勢されており、
前記第１係合部材と前記第２係合部材とが付勢された係合可能な状態にて、前記パネル体が閉じられることにより、前記第１進退部材及び前記第２進退部材が没しつつ係合されることを特徴とする建具。
【請求項４】
請求項１乃至請求項３のいずれかに記載の建具であって、
前記第１係合部材と前記第２係合部材とは、前記第１進退部材及び前記第２進退部材が挿通する挿通孔を有する部材及び前記枠体に、当該枠体の外側から貫通する複数のビスにて固定される部材に設けられていることを特徴とする建具。
【発明の詳細な説明】
【技術分野】
【０００１】
本発明は、枠体にて形成された開口を、回動して閉塞可能なパネル体を有する建具に関する。
【背景技術】
【０００２】
枠体にて形成された開口を、回動して閉塞可能なパネル体を有する建具には、パネル体の閉塞状態を維持するために、上下方向における中央付近にラッチ等が設けられているものがある。建具は、建具により仕切られている空間の一方側と他方側とに温度差が生じ、温度が高い空間に面する部位が熱膨張することによりパネル体に反りが生じる場合がある。この場合には、ラッチによりパネル体が閉じた状態であっても、パネル体の上下の部位と枠体との間に隙間が生じるおそれがある。このため、パネル体をなす戸体と枠体とのいずれか一方に、所定の温度に達した時に他方側に突出作動して戸体が閉められた状態で戸体の反りを抑制する係止機構が設けられた防火建具が知られている（例えば、特許文献１参照）。
【先行技術文献】
【特許文献】
【０００３】
【特許文献１】特許第２９０１８９８号公報
【発明の概要】
【発明が解決しようとする課題】
【０００４】
上記のような建具は、戸体が所定の温度に達したときに既に反りが生じており、戸体と枠体とのいずれか一方から係合機構を構成する部材が突出しても、他方側との相対位置にずれが生じており係合機構が係合できないおそれがあるという課題がある。
【０００５】
本発明は、かかる課題に鑑みてなされたものであり、その目的とするところは、パネル体による開口の閉塞時に係合してパネル体の反りを抑える建具を提供することにある。
【課題を解決するための手段】
【０００６】
かかる目的を達成するために本発明の建具は、開口を形成する枠体と、前記枠体に回動自在に支持されて前記開口を閉塞可能なパネル体と、を有する建具であって、前記パネル体は、退行可能に前記枠体側に突出され、前記開口を閉塞した状態にて前記枠体あるいは前記枠体に設けられた錠受けと係合し、閉塞状態を維持する第１進退部材と、前記第１進退部材と上下方向に間隔を隔てた位置にて、退行可能に前記枠体側に突出され、前記開口を閉塞した状態にて前記枠体側に設けられた第１係合部と係合する第２進退部材と、を有し、前記第１進退部材と係合する第２係合部材と、前記第２進退部材と係合する前記第１係合部材とは、各々回動自在に設けられるとともに連動すべく連結されており、前記第１進退部材と前記枠体とが係合した状態にて、前記第２進退部材が係合解除不能となり、前記パネル体が前記開口を閉塞し、前記第２係合部材と前記第１進退部材との係合が係合解除されて、前記第１係合部材と前記第２係合部材とが連動して回動可能となることにより前記第１係合部材と前記第２進退部材との係合が係合解除可能となることを特徴する建具である。
【０００７】
このような建具によれば、開口を閉塞した状態にて枠体あるいは錠受けと係合する第１進退部材が係合して開口が閉塞された状態では、第１進退部材と上下方向に間隔を隔てた位置にて枠体と係合する第２進退部材は係合解除不能なので、パネル体が開口を閉塞しているときには、第２進退部材は枠体と係合している。すなわち、パネル体が開口を閉塞しているときには、パネル体は、上下方向に間隔を隔てた少なくとも２箇所で枠体側の部位と係合している。このため、パネル体が閉じられて、パネル体により仕切られている空間の一方側と他方側とに温度差が生じたとしても、パネル体の反りを抑制することが可能である。
【０００８】
また、回動自在な、第１進退部材と係合する第２係合部材と、第２進退部材と係合する第１係合部材とが連動すべく連結されているので、第１係合部材は第２係合部材が回動しないと回動できない。そして、第１係合部材は、第２係合部材と第１進退部材との係合が係合解除されて連動して回動可能となることにより第２進退部材との係合が係合解除可能となるので、第２係合部材と第１進退部材とが係合されて開口が閉塞されている間は、第１係合部材と第２進退部材とが係合している状態を維持することが可能である。
【０００９】
かかる建具であって、前記パネル体は、前記第１進退部材と前記第２係合部材との係合を係合解除可能なハンドルを備え、前記ハンドルの操作により前記第１進退部材を係合解除して前記パネル体を回動して開くときに、前記第２進退部材により前記第１係合部材が回動されて前記第１係合部材と前記第２進退部材との係合が係合解除されることが望ましい。  
このような建具によれば、ハンドルを操作して第１進退部材の係合を係合解除してパネル体を開くという通常の開放動作をするだけで、第１進退部材と間隔を隔てて設けられた第１係合部材と第２進退部材との係合も係合解除してパネル体を開くことが可能である。
【００１０】
かかる建具であって、前記第２係合部材は、前記第１進退部材と係合する姿勢を維持すべく係合解除方向と反対方向に付勢されており、前記第１係合部材は、係合解除方向に回動可能に前記第２進退部材と係合する姿勢を維持すべく係合解除方向と反対方向に付勢されており、前記第１係合部材と前記第２係合部材とが付勢された係合可能な状態にて、前記パネル体が閉じられることにより、前記第１進退部材及び前記第２進退部材が没しつつ係合されることが望しい。  
このような建具によれば、第２係合部材は、第１進退部材と係合する姿勢を維持すべく付勢され、第１係合部材は、第２進退部材と係合する姿勢を維持すべく付勢されているので、負荷が作用していないときには、第２係合部材は第１進退部材と、第１係合部材は第２進退部材とそれぞれ係合する姿勢が維持されている。そして第１係合部と前記第２係合部材とが付勢された状態のときに、パネル体が閉じられることにより、第１進退部材及び第２進退部材が没しつつ係合されるので、パネル体を閉じるだけで、第１進退部材と第２係合部材とを、また、第２進退部材と第１係合部材と係合させて開口を閉塞することが可能である。
【００１１】
かかる建具であって、前記第１係合部材と前記第２係合部材とは、前記第１進退部材及び前記第２進退部材が挿通する挿通孔を有する部材及び前記枠体に、当該枠体の外側から貫通する複数のビスにて固定される部材に設けられていることが望ましい。  
このような建具によれば、挿通孔を有する部材が取り付けられているときに挿通孔と重なる、枠体の部位は枠体の内外が連通している。そして、挿通孔を有する部材を固定している複数のビスのうちの１本だけを残して他のビスを外すことにより、第１係合部材と第２係合部材との位置を維持しつつ挿通孔を有する部材を回動させて枠体と重なる位置から外れた位置に移動させることが可能である。このため、挿通孔を有する部材を回動させることにより、第１係合部材及び第２係合部材が回動する機構部分等を容易にメンテナンスすることが可能である。
【発明の効果】
【００１２】
本発明によれば、パネル体の閉止時に係合してパネル体の反りを抑える建具を提供することが可能である。
【図面の簡単な説明】
【００１３】
【図１】本実施形態に係る建具を室内側から見た図である。
【図２】本実施形態に係る建具を示す横断面図である。
【図３】図１におけるＡ−Ａ断面図である。
【図４】扉が閉じられた状態における戸先側の縦フレーム材を開口側から見た図である。
【図５】図５（ａ）は、扉が閉じられた状態における第１係合機構を示す横断面図であり、図５（ｂ）は、扉が閉じられた状態における第２係合機構を示す横断面図る。
【図６】第１係合部材と第２係合部材とが連動すべく連結された構成を示す分解斜視図である。
【図７】扉が閉じられた状態にてハンドルが操作されて第１ラッチボルトが退行された状態を示す横断面図で
【図８】扉が開かれた状態における戸先側の縦フレーム材を開口側から見た図である。
【図９】図９（ａ）は、扉が開かれた状態における第１係合機構を示す横断面図であり、図９（ｂ）は、扉が開かれた状態における第２係合機構を示す横断面図る。
【発明を実施するための形態】
【００１４】
以下、本発明の一実施形態に係る建具について図面を参照して説明する。
【００１５】
本実施形態の建具は、図１に示すように、例えば室内と室外とを連通する開口２（図２）を形成する枠体３と、枠体３に回動自在に支持されて開口２を閉塞可能なパネル体としての扉５とを有する建具１である。本実施形態の建具１は、扉５の戸先側が室外側に移動するように扉５が回動されることにより開放可能である。
【００１６】
以下の説明においては、建具１を室内側から見たときに、上下となる方向を上下方向、左右となる方向を左右方向または見付け方向、室内外方向である奥行き方向を見込み方向として示す。また、矩形状に枠組みされた枠体３において扉５が嵌め込まれる側を内周側、反対側を外周側とする。また、建具１が備える各部材は、単体として説明する場合であっても、取り付けられた状態で上下方向、見付け方向、見込み方向等となる方向にて方向を特定して説明する。
【００１７】
扉５は、図２に示すように、パネル状の断熱部材６と、断熱部材６の周端部を囲むように矩形状に形成されたフレーム７と、扉５の両面となる表面部材８と、扉５を開閉するためのハンドル１５と、ハンドル１５の操作により枠体３との係合が係合解除される第１係合機構１０と、第１係合機構１０の下方にて間隔を隔てて設けられ枠体３と係合及び係合解除可能な第２係合機構２０と、戸先にてフレーム７に固定された戸先フレーム９と、を有している。
【００１８】
扉５は、フレーム７を構成し吊り元側となる左側の縦フレーム材７ａが、枠体３をなす左側の縦枠３ｂにヒンジ５ａを介して回動自在に取り付けている。フレーム７の戸先側に位置する右の縦フレーム材７ｂは、水平断面が矩形状をなす中空の部材であり、その戸先側に戸先フレーム９が取り付けられている。また、戸先側の縦フレーム材７ｂを構成し、見込み方向にて対向する２つの壁部７ｃの上下方向におけるほぼ中央近傍にハンドル１５がそれぞれ設けられている。戸先側の縦フレーム材７ｂ内には、ハンドル１５の操作により操作可能な第１進退機構１１と、第１進退機構１１と下方に間隔を隔てた位置に配置された第２進退機構２１とが設けられている。
【００１９】
第１進退機構１１は、戸先側の縦フレーム材７ｂ及び戸先フレーム９に固定されるケーシング１２と、ハンドル１５の操作によりケーシング１２内に退行可能に戸先フレーム９より戸先側の縦枠３ｂ側に突出される第１進退部材としての第１ラッチボルト１３と、第１ラッチボルト１３を突出方向に押圧するスプリング（不図示）とを有している。そして、第１ラッチボルト１３は、ハンドル１５の操作及び外力が作用しない状態では、スプリングにより付勢されて戸先フレーム９より戸先側の縦枠３ｂ側に突出しており、ハンドル１５による操作及び第１ラッチボルト１３を吊元側に押圧する外力によりケーシング１２内に退行されるように構成されている。
【００２０】
第２進退機構２１は、図３に示すように、戸先側の縦フレーム材７ｂ及び戸先フレーム９の、下端側に設けられており、戸先側の縦フレーム材７ｂ及び戸先フレーム９に固定されるケーシング２２と、ケーシング２２内に退行可能に戸先フレーム９より戸先側の縦枠３ｂ側に突出される第２進退部材としての第２ラッチボルト２３と、第２ラッチボルト２３を突出方向に押圧するスプリング（不図示）とを有している。そして、第２ラッチボルト２３は、外力が作用しない状態では、スプリングにより付勢されて戸先フレーム９より戸先側の縦枠３ｂ側に突出しており、第２ラッチボルト２３を吊元側に押圧する外力によりケーシング２２内に退行されるように構成されている。
【００２１】
枠体３は、図１に示すように、上下２本のアルミニウム製の押出成型材でなる横枠３ａと左右２本のアルミニウム製の押出成型材でなる縦枠３ｂにて矩形状に枠組みされ、その内周側が扉５にて閉塞される開口２をなしている。また、図２に示すように、扉５が閉じられたときに戸先側のフレーム材７ｂと対向する右側の縦枠３ｂは、上下方向に貫通する中空部３ｃを有している。ここで、枠体３には、右側の縦枠３ｂの中空部３ｃ内にて第１ラッチボルト１３及び第２ラッチボルト２３と係合する、後述する第１係合部材３８及び第２係合部材３３が連結されて回動する機構部分も含まれる。
【００２２】
また、枠体３は、扉５が閉じられたときに、図４、図５に示すように、戸先側の縦フレーム材７ｂと対向する、右側の縦枠３ｂに設けられ、突出した第１ラッチボルト１３が挿入される挿通孔としての第１開口３０ａを有する錠受けとしての第１開口部材３０と、突出した第２ラッチボルト２３が挿入される挿通孔としての第２開口３６ａを有する第２開口部材３６とを有している。
【００２３】
第１開口部材３０は、図５（ａ）に示すように、右側の縦枠３ｂの中空部３ｃを形成して戸先側の縦フレーム材７ｂと対向する内壁部３ｄ側に固定される第１固定部３０ｂと、第１固定部３０ｂの室外側の端部から見付け方向における戸先側に延出された第１延出部３０ｃとを有している。第１開口３０ａは第１固定部３０ｂに設けられたほぼ矩形状をなす孔である。このため、第１ラッチボルト１３が戸先フレーム９より枠体３側に突出して第１開口３０ａに挿入された状態では、扉５を開くことはできない。
【００２４】
第２開口部材３６は、図５（ｂ）に示すように、内壁部３ｄ側に固定される第２固定部３６ｂと、第２固定部３６ｂの室外側の端部から見付け方向における戸先側に延出された第２延出部３６ｃとを有している。第２開口３６ａは第２固定部３６ｂから第２延出部３６ｃに繋がって設けられた孔である。このため、第２ラッチボルト２３が戸先フレーム９より枠体３側に突出して第２開口３６ａに挿入された状態であっても、扉５を開くことができるように構成されている。
【００２５】
以下、図６を参照して、第１ラッチボルト１３と係合する第２係合部材３３と第２ラッチボルト２３と係合する第１係合部材３８とが連動すべく連結された構成について説明する。図６では縦枠３ｂの中空部３ｃ内に収容される部位を明確に示すために縦枠３ｂを示していないが、図６においては第１開口部材３０及び第２開口部材３６のみが縦枠３ｂの外側に配置されている。
【００２６】
第１開口部材３０は、第１固定部３０ｂが、中空部３ｃ内に設けられた第１裏板材３１とともに内壁部３ｄを挟むように配置され、第１開口部材３０と戸先側の縦フレーム材７ｂとを、枠体３の内周側から貫通する２本のビス４４が第１裏板材３１に螺合されて固定されている。第１裏板材３１にはスペーサー３２が固定されており、スペーサー３２に、扉５が閉じられた状態にて第１開口３０ａから挿入された第１ラッチボルト１３と係合する第２係合部材３３が、見込み方向に沿う第１軸３４ａをなす第１軸部材３４にて回動自在に支持されるとともに着脱自在に設けられている。
【００２７】
第２係合部材３３は、第１軸部材３４がスペーサー３２に取り付けられて第１軸３４ａにて回動自在に支持される第１回動支持板３３ａと第１回動支持板３３ａの室外側の端部から第１開口３０ａ側に延出されて第１ラッチボルト１３と係合する第１係合片３３ｂとを有している。この第２係合部材３３は、扉５が閉じられて中空部３ｃ内に突出する第１ラッチボルト１３の室外側にて第１係合片３３ｂが当該第１ラッチボルト１３と係合するように構成されている。そして、ハンドル１５の操作により第１ラッチボルト１３が、図７に示すように、戸先フレーム９側に退行されることにより、第２係合部材３３が第１軸部材３４の第１軸３４ａを中心に回動可能となる。
【００２８】
第２開口部材３６は、第２固定部３６ｂが、中空部３ｃ内に設けられた第２裏板材３７とともに内壁部３ｄ挟むように配置され、第２開口部材３６と戸先側の縦フレーム材７ｂとを、枠体３の内周側から貫通する２本のビス４４が第２裏板材３７に螺合されて固定されている。第２裏板材３７には、扉５が閉じられた状態にて第２開口３６ａから挿入された第２ラッチボルト２３と係合する第１係合部材３８が、見込み方向に沿う第２軸３９ａを有する第２軸部材３９にて回動自在に支持されるとともに着脱自在に設けられている。
【００２９】
第１係合部材３８は、第２軸部材３９が第２裏板材３７に取り付けられて第２軸３９ａにて回動自在に支持される第２回動支持板３８ａと第１回動支持板３８ａの室外側の端部から第２開口３６ａ側に延出されて第２ラッチボルト２３と係合する第２係合片３８ｂとを有している。この第１係合部材３８は、扉５が閉じられて中空部３ｃ内に突出する第２ラッチボルト２３の室外側にて第２係合片３８ｂが当該第２ラッチボルト２３と係合するように構成されている。そして、第１係合部材３８が回動可能な状態にて扉５が開かれると突出している第２ラッチボルト２３が第２係合片３８ｂを室外側に押圧することにより第１係合部材３８が第２軸部材３９の第２軸３９ａを中心に回動される。一方、第１係合部材３８が回動不能な状態では扉５の下端は室外側に移動することができないように構成されている。
【００３０】
また、第１係合部材３８と第２係合部材３３とは、各々連結部材３５にて連結された連動リンク４０により連動可能に連結されている。
【００３１】
連動リンク４０は、上下方向に間隔を隔てた位置に、第１係合部材３８及び第２係合部材３３と連結部材３５を介して固定される上固定部４０ａと下固定部４０ｂとを有している。また、連動リンク４０は、上固定部４０ａより上方に延出されており、延出された上端部４０ｃと第１裏板材３１の間に、連動リンク４０を上方に引き上げるように付勢する付勢部材としてのコイルばね４１が設けられている。
【００３２】
上固定部４０ａには、第２係合部材３３の第１回動支持板３３ａにおける見込み方向にて、第１軸３４ａに対して第１係合片３３ｂと反対側の部位がピン４５にて回動自在に係止されている。また、下固定部４０ｂには、第１係合部材３８の第２回動支持板３８ａにおける見込み方向にて、第２軸３９ａに対して第２係合片３８ｂと反対側の部位がピン４５にて回動自在に係止されている。ここで、第１係合部材３８及び第２係合部材３３を回動自在に係止するピン４５は、着脱自在に設けられている。
【００３３】
そして、コイルばね４１により連動リンク４０が上方に付勢されることにより、第１係合片３３ｂは第１ラッチボルト１３と室外側にて係合し、第２係合片３８ｂは第２ラッチボルト２３と室外側にて係合している。この状態では、第１係合片３３ｂと第１ラッチボルト１３とが係合しているので、連動リンク４０にて連結されている第２係合片３８ｂと第２ラッチボルト２３との係合は係合解除できない。すなわち、扉５の下端側が室外側に移動することが規制されている。そして、ハンドル１５を操作して、第１ラッチボルト１３を退行させると、第１係合片３３ｂと第１ラッチボルト１３との係合が係合解除され、第２係合片３８ｂは回動可能となるが、コイルばね４１により付勢されているので、扉５の下端の室外側への移動は抑制されている。その後、ハンドル１５を室外側に移動させることにより扉５を開くと、図７、図８に示すように、第２ラッチボルト２３により第２係合片３８ｂが室外側に移動されつつ第１係合部材３８が回動して第２係合片３８ｂと第２ラッチボルト２３と係合が係合解除されつつ扉５が開かれる。
【００３４】
また、扉５が開かれた状態では、第１係合部材３８及び第２係合部材３３はコイルばね４１に付勢されて、各々第１ラッチボルト１３と係合可能な姿勢をなし、第２ラッチボルト２３と係合可能な姿勢をなして係合可能な状態である。このとき、扉５を閉じると、第１ラッチボルト１３の室内側の傾斜面１３ａが第１開口部材３０に押圧され、第２ラッチボルト２３の室内側の傾斜面２３ａが第２係合片３８ｂに押圧されて各々退行しつつ扉５が回動し、第１ラッチボルト１３と第２係合部材３３とが、第２ラッチボルト２３と第１係合部材３８とがそれぞれ係合する。
【００３５】
本実施形態の建具１によれば、枠体３に設けられた第２係合部材３３と第１ラッチボルト１３とが係合して開口２が閉塞された状態では、第１係合機構１０と上下方向に間隔を隔てた位置にて枠体３に設けられた第１係合部材３８と係合する第２ラッチボルト２３は係合解除不能なので、扉５が開口２を閉塞しているときには、第２ラッチボルト２３は枠体３の第１係合部材３８と係合している。すなわち、扉５が開口２を閉塞しているときには、扉５は、上下方向に間隔を隔てた少なくとも２箇所で枠体３側と係合している。このため、扉５が閉じられて、扉５により仕切られている室内側と室外側とに温度差が生じたとしても、扉５の反りを抑制することが可能である。
【００３６】
また、第１ラッチボルト１３と係合する回動自在な第２係合部材３３と、第２ラッチボルト２３と係合する第１係合部材３８とが連動すべく連結されているので、第１係合部材３８は第２係合部材３３が回動しないと回動できない。一方、第２係合部材３３は、第１ラッチボルト１３との係合が係合解除されて回動する。このため、第２係合部材３３と第１ラッチボルト１３との係合状態、すなわち、開口２の閉塞状態が維持されている間は、第１係合部材３８が係合した状態を維持することが可能である。
【００３７】
また、ハンドル１５を操作して第１ラッチボルト１３の係合を係合解除して扉５を開くという通常の開放動作をするだけで、第１ラッチボルト１３と間隔を隔てて設けられた第１係合部材３８と第２ラッチボルト２３との係合も係合解除して扉５を開くことが可能である。
【００３８】
また、第２係合部材３３は、第１ラッチボルト１３と係合する姿勢を維持すべく、また、第１係合部材３８は、第２ラッチボルト２３と係合する姿勢を維持すべくそれぞれコイルばね４１に付勢されているので、外力が作用していないときには、第２係合部材３３は第１ラッチボルト１３と、第１係合部材３８は第２ラッチボルト２３とそれぞれ係合する姿勢が維持されている。そして第１係合部材３８と第２係合部材３３とが付勢された状態のときに、扉５が閉じられることにより、第１ラッチボルト１３及び第２ラッチボルト２３が没しつつ係合されるので、扉５を閉じるだけで、第１ラッチボルト１３と第２係合部材３３とを、また、第２ラッチボルト２３と第１係合部材３８と係合させて開口２を閉塞することが可能である。
【００３９】
また、第１開口３０ａを有する第１開口部材３０及び第２開口３６ａを有する第２開口部材３６が取り付けられているときに第１開口３０ａ及び第２開口３６ａと重なる、戸先側の縦フレーム材７ｂの部位は戸先側の縦フレーム材７ｂの内外が連通している。そして、第１開口部材３０及び第２開口部材３６を固定している２本のビス４４のうちの１本を残して他のビス４４を外すことにより、第１係合部材３８と第２係合部材３３との位置を維持しつつ第１開口部材３０及び第２開口部材３６を回動させて戸先側の縦フレーム材７ｂと重なる位置から外れた位置に移動させるとともに戸先側の縦フレーム材７ｂに支持されている状態を維持することが可能である。このため、第１開口部材３０及び第２開口部材３６を回動させることにより、第１係合部材３８及び第２係合部材３３を交換或いは第１係合部材３８及び第２係合部材３３が回動する機構部分等を容易にメンテナンスすることが可能である。このとき、第１開口部材３０及び第２開口３６ａを固定しているビスは２本以上であれば構わない。
【００４０】
上記実施形態においては、第２ラッチボルト２３が突出して係合する第２係合機構２０を扉５の下端側に設けた例について説明したが、上端側に設けることにより扉の上端部に隙間が生じることを防止することが可能である。また、上下の両端側に設けることにより、扉の上下端部のいずれにも隙間が生じることを防止することが可能である。
【００４１】
上記実施形態においては、第１係合部材３８と第２係合部材３３との連結機構を縦枠３ｂ側に備えた例について説明したが、扉５側に設けても構わない。
【００４２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４３】
上記実施形態においては、第２進退機構２１のケーシング２２内に退行可能に突出され、第１係合部材３８と係合する第２進退部材を第２ラッチボルト２３としたが、これに限らず、例えば、シリンダやサムターンなどによって操作されるデッドボルトであっても構わない。
【００４４】
また、上記実施形態においては、第１ラッチボルト１３及び第２ラッチボルト２３が直線方向に進退する例について説明したが、これに限るものではない。たとえば、回動軸を中心に回動することにより、戸先フレーム９に対して進退可能な部位が第１係合部材３８及び第２係合部材３３と係合する構成であっても構わない。
【符号の説明】
【００４５】
１  建具、２  開口、３  枠体、３ｂ  縦枠、５  扉、１０  第１係合機構、１１  第１進退機構、１３  第１ラッチボルト、１５  ハンドル、２０  第２係合機構、２１  第２進退機構、２３  第２ラッチボルト、３３  第２係合部材、３８  第１係合部材、４１  コイルばね、４４  ビス
【図１】
2014105432.tif 000003
【図２】
2014105432.tif 000004
【図３】
2014105432.tif 000005
【図４】
2014105432.tif 000006
【図５】
2014105432.tif 000007
【図６】
2014105432.tif 000008
【図７】
2014105432.tif 000009
【図８】
2014105432.tif 000010
【図９】
2014105432.tif 000011